(57)【要約】【課題】少ない部品点数から構成されて組立作業性も向上した操作部分を有するブラインドを提供する。【解決手段】操作棒２２の端部に操作部２４が設けられ、操作部２４は、操作棒２２の一部を係止するベース部２６と、操作棒２２に対して回転不能に取付けられるグリップ部２８と、複数の昇降コードを互いに分離するセパレータ３０と、から構成される。ベース部２６とグリップ部２８とが分離した状態で、セパレータ３０がベース部２６内に挿入されてベース部２６内で回転可能に支持され、また、ベース部２６が操作棒２２の一部に係止し、グリップ部２８が操作棒２２に回転不能に挿通された状態で、ベース部２６とグリップ部２８とが一体的に組み立てられることで、操作棒２２の下端に操作部２４が固定される。【選択図】図３
2014173316.tif 000002
【特許請求の範囲】
【請求項１】
ヘッドボックス（１２）と、ヘッドボックス（１２）から垂下するラダーコード（１４）と、ラダーコード（１４）によって整列状態に支持される多数のスラット（１６）と、スラット列の下端に配置されるボトムレール（１８）と、ヘッドボックス（１２）の一端に配設され、ラダーコード（１４）を介してスラット（１６）の傾斜を可変とする操作棒（２２）と、ボトムレール（１８）に一端が連結されるとともに他端がヘッドボックス（１２）内に導入された後、ヘッドボックス（１２）から導出されて操作棒（２２）内を挿通し、操作棒（２２）の下端から導出される複数の昇降コード（２０）と、を備えたブラインドにおいて、
操作棒（２２）の端部に操作部（２４）が設けられ、操作部（２４）は、操作棒（２２）の一部に係止するベース部（２６）と、操作棒（２２）に対して回転不能に取付けられるグリップ部（２８）と、複数の昇降コードを互いに分離するセパレータ（３０）と、から構成され、
ベース部（２６）とグリップ部（２８）とが分離した状態で、セパレータ（３０）がベース部（２６）内に挿入されてベース部（２６）内で回転可能に支持され、また、ベース部（２６）が操作棒（２２）の一部に係止し、グリップ部（２８）が操作棒（２２）に回転不能に挿通された状態で、ベース部（２６）とグリップ部（２８）とが一体的に組み立てられることで、操作棒（２２）の下端に操作部（２４）が固定されることを特徴とするブラインド。
【請求項２】
ベース部（２６）が操作棒（２２）の一部に回転可能に係止されることを特徴とする請求項１記載のブラインド。
【請求項３】
ベース部（２６）はセパレータ（３０）を回転可能に支持する支持部（２６ｂ）と、操作棒（２２）の一部に係止する係止片（２６ｃ）とを備え、ベース部（２６）の係止片（２６ｃ）が操作棒（２２）の一部に係止した状態で、係止片（２６ｃ）をグリップ部（２８）内に収容するようにベース部（２６）とグリップ部（２８）とが係合されることを特徴とする請求項１または２記載のブラインド。
【請求項４】
操作棒（２２）の下端付近には、円筒状の被係止部（２２ａ）が形成され、係止片（２６ｃ）の端部には被係止部（２２ａ）の円筒状に対応する円弧状の凹部（２６ｄ）が形成されており、係止片（２６ｃ）の凹部（２６ｄ）を被係止部（２２ａ）に係止させることによりベース部（２６）が操作棒（２２）の一部に回転可能に係止されるようにしたことを特徴とする請求項３記載のブラインド。
【請求項５】
ベース部（２６）にはセパレータ（３０）を回転自在に収容する上下方向に貫通した貫通孔（２６ａ）が形成されており、支持部（２６ｂ）は貫通孔（２６ａ）の内周面に形成されており、セパレータ（３０）はベース部（２６）の上方から貫通孔（２６ａ）に挿入可能であることを特徴とする請求項３または４記載のブラインド。
【発明の詳細な説明】
【技術分野】
【０００１】
本発明は、ブラインドに関し、特にその操作部分の組立作業性を向上させたブラインドに関する。
【背景技術】
【０００２】
従来のブラインドの操作装置としては、特許文献１に示されるものが知られている。これに示されるものは、ヘッドボックスの一端に下方に導出されてこれの回転によりスラットの傾斜が可変である中空の回転操作棒が設けられており、回転操作棒の下端にグリップが設けられている。グリップは回転操作棒と一体に回転するとともに上下方向に所定量相対移動可能であり、グリップの中心孔内には、昇降コードが上下方向に移動可能に挿通されるとともにストッパ解除用コードが連結される絡み止めリングが回転は自在であるが上下方向には一体に移動するように設けられている。
【０００３】
回転操作棒の下端にグリップを取付けるにあたっては、グリップの中心孔に上方から回転操作棒の下端を挿入し中心孔を完全に貫通させて、回転操作棒の下端の外周面に形成される環状溝に第１抜け止めリングを嵌め合わせた後、回転操作棒をグリップの上方に引き出すと、第１抜け止めリングがグリップの中心孔の上端にある多角形孔から抜け止めされることで、グリップの回転操作棒からの脱落を防止してグリップを回転操作棒の下端に取付けることができる。このとき同時にグリップの中心孔上部の多角形孔が回転操作棒の多角形外面と嵌合するので、グリップと回転操作棒とが一体に回転するようになる。
【０００４】
また、グリップの中心孔内に絡み止めリングを設けるにあたっては、グリップの下方からグリップの中心孔に絡み止めリングを挿入して、グリップの中心孔に形成された段部に当接させた後、グリップの中心孔下端の内周面に形成された環状溝に第２抜け止めリングを嵌め合わせることによってグリップ内の下部に絡み止めリングを回転自在に且つ脱落不能に支持することができる。
【０００５】
これによれば、スラットを下降させる場合は、グリップを持ってこれを所定量下方に引っ張ると絡み止めリングもグリップと一体に下方に移動するので、絡み止めリングに連結されているストッパ解除用コードも引き下げられ、ストッパが解除されてボトムレール及びスラットの自重によりスラットが下降する。
【０００６】
一方、グリップを持ってこれを回転させると、回転操作棒がグリップと一体に回転するため、スラットの傾斜角度が変更されるが、グリップが回転してもこれに回転自在に設けられている絡み止めリングは回転しないので、昇降コード及びストッパ解除用コードが絡むことを防止することができる。
【先行技術文献】
【特許文献】
【０００７】
【特許文献１】実用新案登録第２５５１１７０号公報
【発明の概要】
【発明が解決しようとする課題】
【０００８】
しかしながら、上記従来のブラインドの操作装置では、回転操作棒へのグリップの取付けと、グリップへの絡み止めリングの取付けにおいて、抜け止めリングをそれぞれ用いるため、部品点数が多くなるとともに、２つの抜け止めリングを嵌め合わせる工程が必要であり、組立作業性に課題がある。また、絡み止めリングをグリップに挿入する間に絡み止めリングが回転して昇降コード同士が絡んでしまう恐れがあり、昇降コード同士の絡みを防止するために昇降コードを引っ張りながら絡み止めリングをグリップの下方から挿入する作業は容易ではなく、組立作業性に問題がある。
【０００９】
本発明は、少ない部品点数から構成されて組立作業性も向上した操作部分を有するブラインドを提供することをその目的とする。
【課題を解決するための手段】
【００１０】
前述した目的を達成するために、請求項１記載の発明は、ヘッドボックスと、ヘッドボックスから垂下するラダーコードと、ラダーコードによって整列状態に支持される多数のスラットと、スラット列の下端に配置されるボトムレールと、ヘッドボックスの一端に配設され、ラダーコードを介してスラットの傾斜を可変とする操作棒と、ボトムレールに一端が連結されるとともに他端がヘッドボックス内に導入された後、ヘッドボックスから導出されて操作棒内を挿通し、操作棒の下端から導出される複数の昇降コードと、を備えたブラインドにおいて、
操作棒の端部に操作部が設けられ、操作部は、操作棒の一部に係止するベース部と、操作棒に対して回転不能に取付けられるグリップ部と、複数の昇降コードを互いに分離するセパレータと、から構成され、
ベース部とグリップ部とが分離した状態で、セパレータがベース部内に挿入されてベース部内で回転可能に支持され、また、ベース部が操作棒の一部に係止し、グリップ部が操作棒に回転不能に挿通された状態で、ベース部とグリップ部とが一体的に組み立てられることで、操作棒の下端に操作部が固定されることを特徴とする。
【００１１】
請求項２記載の発明は、請求項１記載のものにおいて、ベース部が操作棒の一部に回転可能に係止されることを特徴とする。
【００１２】
請求項３記載の発明は、請求項１または２記載のものにおいて、ベース部はセパレータを回転可能に支持する支持部と、操作棒の一部に係止する係止片とを備え、ベース部の係止片が操作棒の一部に係止した状態で、係止片をグリップ部内に収容するようにベース部とグリップ部とが係合されることを特徴とする。
【００１３】
請求項４記載の発明は、請求項３記載のものにおいて、操作棒の下端付近には、円筒状の被係止部が形成され、係止片の端部には被係止部の円筒状に対応する円弧状の凹部が形成されており、係止片の凹部を被係止部に係止させることによりベース部が操作棒の一部に回転可能に係止されるようにしたことを特徴とする。
【００１４】
請求項５記載の発明は、請求項３または４記載のものにおいて、ベース部にはセパレータを回転自在に収容する上下方向に貫通した貫通孔が形成されており、支持部は貫通孔の内周面に形成されており、セパレータはベース部の上方から貫通孔に挿入可能であることを特徴とする。
【発明の効果】
【００１５】
本発明によれば、操作棒の一部に、セパレータが回転可能に支持されたベース部を係止した状態で、ベース部とグリップ部とを組み立てることで、操作棒の下端に操作部を固定することができるため、少ない部品点数で構成することができるとともに、組立作業性も向上する。
【００１６】
ベース部を操作棒の一部に回転可能に係止することで、ベース部とグリップ部とを組み立てる前にセパレータの回転角度を補正し、昇降コード同士の絡みを回避することができるため、昇降コード同士の絡みを解消した上で、操作部の固定が可能となる。また、ベース部とグリップ部とを組み立てる前に、昇降コードに張力を付与してセパレータの回転が困難な状態にしておけば、ベース部が回転してもセパレータは回転しないため、昇降コードの絡みを防止しつつ、ベース部とグリップ部との組立てを簡単に行うことができる。
【００１７】
さらに、ベース部とグリップ部とが分離した状態で、ベース部の上方からベース部内にセパレータを挿入することにより、その際に、昇降コードが露出された状態でセパレータをベース部内に収容することができ、昇降コードの絡みを解消し易い。
【図面の簡単な説明】
【００１８】
【図１】本発明の実施形態に係るブラインドの全体正面図である。
【図２】（ａ）は操作装置の正面図であり、（ｂ）は操作装置の側面図である。
【図３】図２（ａ）のＡ−Ｂ断面図である。
【図４】図３において、ベース部とグリップ部が係合する前の状態を表しており、（ａ）はベース部とグリップ部とが離隔している状態を示し、（ｂ）はベース部にグリップ部を係合する途中の状態を示す。
【図５】図２（ｂ）のＣ−Ｄ断面図である。
【図６】図４（ｂ）のＥ−Ｅ断面図である。
【図７】図４（ｂ）のＦ−Ｆ断面図である。
【図８Ａ】操作装置の組み立て手順を示す斜視図である。
【図８Ｂ】図８Ａに続く、操作装置の組み立て手順を示す斜視図である。
【図８Ｃ】図８Ｂに続く、操作装置の組み立て手順を示す斜視図である。
【図８Ｄ】図８Ｃに続く、操作装置の組み立て手順を示す斜視図である。
【発明を実施するための形態】
【００１９】
以下、図面を用いて本発明の実施の形態を説明する。
【００２０】
図１に示すように、ブラインド１０は、図示していない窓枠等にブラケット１１を介して取付けられるヘッドボックス１２の長手方向複数個所（図では３箇所）からラダーコード１４が垂下しており、ラダーコード１４によって多数のスラット１６が整列状態に支持されている。スラット１６列の下端にはボトムレール１８が配置されており、ボトムレール１８の長手方向複数個所（図では２箇所）に昇降コード２０の一端がそれぞれ連結されている。それぞれの昇降コード２０の他端はスラット列を挿通してヘッドボックス１２内に導入された後、図示しないストッパを通過して、ヘッドボックス１２の一端から導出される。
【００２１】
ヘッドボックス１２の一端からは操作棒２２が垂下される。操作棒２２は、ヘッドボックス１２内の回転伝達機構に連結されており、回転伝達機構を介して、操作棒２２の回転動作がラダーコード１４の傾動動作に変換されて、ラダーコード１４を介してスラット１６の傾斜を可変することができるようになっている。また、操作棒２２は中空に形成されており、ヘッドボックス１２の一端から導出された複数の昇降コード２０が操作棒２２内を挿通して操作棒２２の下端から導出される。図８Ａに示すように、操作棒２２の外周は略六角形状といった非円形形状に形成されているが、下端部２２ｂより若干上方には環状溝部が形成されており、その環状溝部が形成された部分は、円筒状の被係止部２２ａとなる。
【００２２】
操作棒２２の下端部には操作部２４が設けられ、操作棒２２と操作部２４とで操作装置が構成される。操作棒２２から導出された複数の昇降コード２０は、さらに操作部２４を挿通して操作部２４の下端から導出されて、その端部がまとめてつまみ２５に連結される。
【００２３】
次に、操作部２４について詳述する。図２ないし図８に示すように、操作部２４は、操作棒２２の一部に係止するベース部２６と、操作棒２２に対して回転不能に取付けられるグリップ部２８と、複数の昇降コード２０を互いに分離するセパレータ３０と、から構成される。ベース部２６とグリップ部２８とは互いに係合して一体的に組み立てられた状態で略卵形の形状を成し、その内部にセパレータ３０が収容される。ベース部２６が卵形の下半分シェル部分を、グリップ部２８が卵形の上半分シェル部分を構成する。
【００２４】
ベース部２６の内部は、上下方向に貫通する貫通孔２６ａとなっている。貫通孔２６ａの内周面には、支持部としての支持段部２６ｂが内径方向に突出しており、支持部２６ｂはセパレータ３０を回転可能に下方から支持可能である。また、ベース部２６には、その上部の貫通孔２６ａの周囲の円周方向に１８０°離隔した位置において上方に突出する一対の係止片２６ｃがそれぞれ形成されており、この係止片２６ｃは、弾性変形可能となっており、互いの間隔が広狭に変化可能である。一対の係止片２６ｃの上端部は、内径方向に突出しており、その突出端の端面は、操作棒２２の被係止部２２ａの円筒状に対応するように円弧状の凹部２６ｄが形成されている。また、係止片２６ｃの外周面には、上下方向に延びる複数本（例えば２本程度）の係合突条２６ｅ（図６、図８参照）が円周方向に並設されて形成される。ベース部２６の上部の縁部には全周にわたって上方に突出した周囲壁部２６ｆが形成されており、周囲壁部２６ｆより内径側には一対の嵌合片２６ｇがそれぞれ立設している。一対の嵌合片２６ｇは上方へ行くに従って外径方向に若干傾斜している。一対の嵌合片２６ｇはそれぞれ一対の係止片２６ｃの中間位置に配設されており、周囲壁部２６ｆと一対の嵌合片２６ｇ及び一対の係止片２６ｃとの間に後述するグリップ部２８の周囲壁部２８ｅを嵌合可能である。
【００２５】
グリップ部２８は、その上部に操作棒２２の外周形状に適合する略六角形状といった非円形形状の挿通孔２８ａが形成されている。グリップ部２８の内部には、挿通孔２８ａを包囲する内筒２８ｂ（図５）が形成されており、内筒２８ｂには、上記係止片２６ｃ、２６ｃに対応して切欠２８ｃ、２８ｃが形成されている（図７）。また、グリップ部２８の内周面にはベース部２６の係止片２６ｃの係合突条２６ｅに摩擦係合する係合部２８ｄが内径方向に突出して形成されており、グリップ部２８の下部の縁部には、全周にわたって前述の周囲壁部２８ｅが下方に突出して形成されている。周囲壁部２８ｅはベース部２６の嵌合片２６ｇの傾斜した形状に対応する形状を有しており、両者が当接した際に上下方向の移動がある程度規制されるようになっている。
【００２６】
セパレータ３０は、円周方向に間隔を開けた複数個所に昇降コード２０を挿通可能な挿通孔３０ａが軸方向に貫通して形成されており、セパレータ３０の外周と挿通孔３０ａとはスリット３０ｂでそれぞれ連通している（図８参照）。
【００２７】
図４及び図８に基づいて操作棒２２への操作部２４の取付手順を説明する。
【００２８】
まず、グリップ部２８の挿通孔２８ａに、つまみ２５に連結する前の各昇降コード２０及び操作棒２２を挿通させて、グリップ部２８を操作棒２２に対して相対回転は不可能であるが、軸方向には摺動可能な状態とする。また、ベース部２６の貫通孔２６ａに各昇降コード２０を挿通させ、図８Ａに示すように、操作棒２２とベース部２６との間にセパレータ３０を位置させて、図中矢印Ａに示すように、スリット３０ｂを介して挿通孔３０ａに昇降コード２０をそれぞれ挿入する。
【００２９】
次に、図８Ｂに示すように、セパレータ３０をベース部２６の上方から係止片２６ｃの間を通過させて貫通孔２６ａ内に挿入し、支持段部２６ｂに回転可能に支持させる。その際に、昇降コードが露出された状態でセパレータ３０をベース部２６内に収容することができるため、昇降コードの絡みを解消し易い。
【００３０】
次に、図４（ａ）及び図８Ｃに示すように、ベース部２６を操作棒２２に係止させる。このとき、一対の係止片２６ｃの先端の凹部２６ｄ同士の間隔よりも操作棒２２の下端部２２ｂの径方向寸法の方が大きいため、図４（ａ）中二点鎖線で示すように係止片２６ｃが弾性変形してこれらの間隔が広がり、係止片２６ｃが操作棒２２の下端部２２ｂを乗り越えて、被係止部２２ａに係止される。こうして、係止片２６ｃの上端部が被係止部２２ａに係止されるために、ベース部２６の上下方向への移動は、係止片２６ｃの上端部が被係止部２２ａを移動する範囲に規制される。この状態において、昇降コード２０を下方に引っ張り張力を付与することにより、セパレータ３０を回転させてこれの回転角度を補正して、昇降コード２０同士の絡みを回避することができる。このとき、ベース部２６は操作棒２２に仮止めされているために、ベース部２６を支える必要がなく、操作が簡単になっている。
【００３１】
昇降コード２０同士の絡みを回避した後、ベース部２６とグリップ部２８とを係合するべくグリップ部２８をベース部２６へと接近させる。このとき、ベース部２６の係止片２６ｃがグリップ部２８の切欠２８ｃに嵌合するように、ベース部２６を回転する必要がある。ここで、昇降コードに張力を付与してセパレータ３０の回転が困難な状態にしておけば、ベース部２６が回転してもセパレータ３０は回転しないため、昇降コードの絡みを防止しつつ、ベース部２６とグリップ部２８との組立てを簡単に行うことができる。
【００３２】
また、グリップ部２８の周囲壁部２８ｅをベース部２６の周囲壁部２６ｆと一対の嵌合片２６ｇ及び一対の係止片２６ｃとの間に嵌合する。この状態において、グリップ部２８の係合部２８ｄがベース部２６の係合突条２６ｅに摩擦係合するとともに、グリップ部２８の周囲壁部２８ｅがベース部２６の嵌合片２６ｇに当接し上下方向の移動が規制される状態となるため、ベース部２６とグリップ部２８とが係合し、互いが容易に離隔することが防止されている（図５、図８Ｄ）。
【００３３】
このように構成される操作装置において、操作部２４を持って回転させると、操作棒２２が回転してスラット１６の傾斜角度を変更することができる。
【００３４】
また、スラット１６の昇降は、つまみ２５あるいは昇降コード２０自体を持って昇降コード２０を操作することにより行う。すなわち、昇降コード２０を引き下ろすことによりボトムレール１８及びスラット１６列を上昇させることができ、昇降コード２０の引き下ろしを停止すると、ヘッドボックス１２内に設けられている図示していないストッパが作動して昇降コード２０の移動が拘束され、ボトムレール１８及びスラット１６列がその位置で停止する。この停止状態から昇降コード２０を再度引き下ろすと、ストッパが解除して昇降コード２０が移動可能な状態となる。これにより、引き続き、昇降コード２０を更に引き下ろした場合、ボトムレール１８及びスラット１６列が更に上昇し、一方、昇降コード２０から手を放した場合、ボトムレール１８及びスラット列１６が自重により下降する。
【００３５】
以上のように、ベース部２６、グリップ部２８及びセパレータ３０で構成される操作部２４を操作棒２２の端部に固定するだけで操作装置を構成することになるため、少ない部品点数で構成することができるとともに、組立作業性も向上する。
【００３６】
なお、昇降コード２０の数、操作棒の多角形の数、グリップ部２８の挿通孔２８ａの多角形の数、セパレータ３０の貫通孔の数などは、実施の形態に限定されず、適宜設定可能である。
【符号の説明】
【００３７】
１２  ヘッドボックス
１４  ラダーコード
１６  スラット
１８  ボトムレール
２０  昇降コード
２２  操作棒
２２ａ  被係止部
２４  操作部
２６  ベース部
２６ａ  貫通孔
２６ｂ  支持段部（支持部）
２６ｃ  係止片
２６ｄ  凹部
２８  グリップ部
３０  セパレータ
【図１】
2014173316.tif 000003
【図２】
2014173316.tif 000004
【図３】
2014173316.tif 000005
【図４】
2014173316.tif 000006
【図５】
2014173316.tif 000007
【図６】
2014173316.tif 000008
【図７】
2014173316.tif 000009
【図８Ａ】
2014173316.tif 000010
【図８Ｂ】
2014173316.tif 000011
【図８Ｃ】
2014173316.tif 000012
【図８Ｄ】
2014173316.tif 000013